(57)【要約】【課題】本考案は、腹斜筋に電極パッドを容易に位置決めできるとともに、快適かつ効率よく使用することのできるトレーニング装置を提供することを目的とする。【解決手段】  使用者の筋肉に電気的な刺激を与えるトレーニング装置１０において、上方の一対の第１の電極パッド１と、一対の前記第１の電極パッド１と対向する下方の一対の第２の電極パッド２と、前記第１の電極パッド１及び前記第２の電極パッド２が占める領域の両外側に配置された左右一対の第３の電極パッド３とを備えるようにした。【選択図】図１
0003209197.tif 000002
【実用新案登録請求の範囲】
【請求項１】
使用者の筋肉に電気的な刺激を与えるトレーニング装置において、
上方の一対の第１の電極パッドと、
一対の前記第１の電極パッドと対向する下方の一対の第２の電極パッドと、
前記第１の電極パッド及び前記第２の電極パッドが占める領域の両外側に配置された左右一対の第３の電極パッドとを備えたことを特徴とするトレーニング装置。
【請求項２】
請求項１に記載のトレーニング装置において、
各前記第１の電極パッドは、使用者と接触する面積が各前記第２の電極パッドよりも大きいことを特徴とするトレーニング装置。
【請求項３】
請求項１または２に記載のトレーニング装置において、
各前記第１の電極パッドは、使用者と接触する面積が各前記第３の電極パッドよりも大きいことを特徴とする。
【請求項４】
請求項１乃至３のいずれか１項に記載のトレーニング装置において
前記第１の電極パッドは、上下方向に延びる長軸を有する楕円形状に形成されたことを特徴とするトレーニング装置。
【請求項５】
請求項１乃至４のいずれか１項に記載のトレーニング装置において、
両外側の前記第３の電極パッドの各々は、一対の前記第１の電極パッドを挟む位置に配置されたことを特徴とするトレーニング装置。
【請求項６】
請求項１乃至５のいずれか１項に記載のトレーニング装置において、
前記第３の電極パッドの各々は、前記第３の電極パッドと異なる極性に対応する第４の電極パッドが隣り合って配置されたことを特徴とするトレーニング装置。
【請求項７】
請求項６に記載のトレーニング装置において、
前記第３の電極パッドの中心と前記第４の電極パッドの中心とを結ぶ線が水平方向に対して３０度から４０度傾斜していることを特徴とするトレーニング装置。
【請求項８】
請求項１乃至７のいずれか１項に記載のトレーニング装置において、
前記第１の電極パッド及び前記第２の電極パッドが配置された本体を備え、
前記第３の電極パッドは、前記本体の前記第２の電極パッド近傍から延びるアームに配置されたことを特徴とするトレーニング装置。
【請求項９】
請求項８に記載のトレーニング装置において、
前記アームは、前記第１の電極パッドと前記第３の電極パッドとの間に凹部が形成されたことを特徴とするトレーニング装置。
【請求項１０】
請求項９に記載のトレーニング装置において、
前記アームは、前記凹部近傍が前記第３の電極パッド近傍よりも細く形成されたことを特徴とするトレーニング装置。
【考案の詳細な説明】
【技術分野】
【０００１】
本考案は、使用者の筋肉に電気的な刺激を与えるトレーニング装置に関する。
【背景技術】
【０００２】
従来、使用者の筋肉に電気的な刺激を与えるトレーニング装置が知られている（例えば、特許文献１参照）。この種のトレーニング装置では、ＥＭＳ（Ｅｌｅｃｔｒｉｃａｌ  Ｍｕｓｃｌｅ  Ｓｔｉｍｕｌａｔｉｏｎ）技術を用いて筋肉に電気的な刺激を与えており、主として腹直筋に電気的な刺激を与えるものがあった。電気的な刺激を腹直筋に与えるものは、腹直筋を繰り返し収縮させて鍛えるべく、左右方向に対をなす複数の対の電極パッドが腹直筋に沿って縦方向に配列されており、各対の電極パッド毎に左右方向に電流が流れるように設けられていた。
【先行技術文献】
【特許文献】
【０００３】
【特許文献１】特開２００９−５８５１号公報
【考案の概要】
【考案が解決しようとする課題】
【０００４】
しかしながら、上記従来の技術によるトレーニング装置では、腹直筋に電気的な刺激を与えることはできるが、ウエストのくびれを作るのに効果的な腹斜筋に電気的な刺激を与えることはできなかった。別途電極パッドを脇腹に張り付けて腹斜筋に電気的な刺激を与える装置も考えられているが、腹直筋を刺激する装置と腹斜筋を刺激する装置とが別体で構成されたことによりその位置決めが煩かった。また、このような構成によると、腹斜筋を刺激する装置の制御及び電力供給を行うためのコントローラ等も別体で設ける必要があった。このため、使用者は複数のコントローラを操作する必要があるとともに、各装置を連動させて制御できないことにより腹直筋及び腹斜筋を刺激するタイミングがばらばらであり、使用者が不快感を覚えることがあった。
【０００５】
本考案の目的は、上述した従来の技術が有する課題を解消し、腹斜筋に電極パッドを容易に位置決めできるとともに、快適かつ効率よく使用することのできるトレーニング装置を提供することにある。
【課題を解決するための手段】
【０００６】
本考案は、使用者の筋肉に電気的な刺激を与えるトレーニング装置において、上方の一対の第１の電極パッドと、一対の前記第１の電極パッドと対向する下方の一対の第２の電極パッドと、前記第１の電極パッド及び前記第２の電極パッドが占める領域の両外側に配置された左右一対の第３の電極パッドとを備えたことを特徴とする。
【０００７】
この場合において、各前記第１の電極パッドは、使用者と接触する面積が各前記第２の電極パッドよりも大きくてもよい。各前記第１の電極パッドは、使用者と接触する面積が各前記第３の電極パッドよりも大きくてもよい。前記第１の電極パッドは、上下方向に延びる長軸を有する楕円形状に形成されていてもよい。両外側の前記第３の電極パッドの各々は、一対の前記第１の電極パッドを挟む位置に配置されていてもよい。前記第３の電極パッドの各々は、前記第３の電極パッドと異なる極性に対応する第４の電極パッドが隣り合って配置されていてもよい。前記第３の電極パッドの中心と前記第４の電極パッドの中心とを結ぶ線が水平方向に対して３０度から４０度傾斜していてもよい。前記第１の電極パッド及び前記第２の電極パッドが配置された本体を備え、前記第３の電極パッドは、前記本体の前記第２の電極パッド近傍から延びるアームに配置されていてもよい。前記アームは、前記第１の電極パッドと前記第３の電極パッドとの間に凹部が形成されていてもよい。前記アームは、前記凹部近傍が前記第３の電極パッド近傍よりも細く形成されていてもよい。
【考案の効果】
【０００８】
本考案では、腹斜筋に電極パッドを容易に位置決めできるとともに、快適かつ効率よく使用することができる。
【図面の簡単な説明】
【０００９】
【図１】本実施形態に係るトレーニング装置を示す平面図である。
【図２】トレーニング装置の底面図である。
【図３】電極の形状及び配置の様子を模式的に示した図である。
【図４】各電極パッドと使用者の腹直筋及び腹斜筋との位置関係を模式的に示した図である。
【図５】トレーニング装置を使用者に張り付けた様子を示す図である。
【図６】固定具を用いてトレーニング装置を使用者に固定する手順を示す図である。
【考案を実施するための形態】
【００１０】
以下、図面を参照して、本考案の好適な実施の形態について説明する。
図１は、トレーニング装置を示す平面図であり、図２は、トレーニング装置の底面図である。
【００１１】
トレーニング装置１０は、使用者の筋肉に電気的な刺激を与えるためのＥＭＳ装置である。このトレーニング装置１０は、図１に示すように、第１の電極パッド１、第２の電極パッド２、第３の電極パッド３、第４の電極パッド４、コントローラ５、及びシート６を備えている。なお、図１では、各電極パッド１，２，３，４を模した図形が各電極パッド１，２，３，４の表側に描かれて大まかな位置がわかるようになっているが、各電極パッド１，２，３，４自体は裏側（図２参照）からのみ視認可能になっている。
【００１２】
コントローラ５は、第１の電極パッド１、第２の電極パッド２、第３の電極パッド３、及び第４の電極パッド４を制御するための制御装置である。このコントローラ５は、使用者がトレーニング装置１０を操作するのにも用いられ、表示画面や操作ボタンが設けられている。コントローラ５は、第１の電極パッド１、第２の電極パッド２、第３の電極パッド３、及び第４の電極パッド４に電流を流したり流すのを停止したりすることにより第１の電極パッド１、第２の電極パッド２、第３の電極パッド３、及び第４の電極パッド４を制御する。具体的には、コントローラ５は、例えば、３Ｈｚ、５Ｈｚ、１０Ｈｚ、または２０Ｈｚの周波数で、バースト波、またはパルス波を第１の電極パッド１、第２の電極パッド２、第３の電極パッド３、及び第４の電極パッド４に流すようになっている。
【００１３】
コントローラ５は、図示せぬ４つの端子を備えており、これら４つの端子は正極側端子及び負極側端子で１つの対となる２対の端子として設けられている。一方の対の端子は、図２に示すように、正極側が一対の第１の電極パッド１の正極側の接点１ｃと電気的に接続されているとともに、負極側が一対の第２の電極パッド２の負極側の接点２ｃと電気的に接続されている。他方の対の端子は、正極側が一対の第４の電極パッド４の正極側の接点４ｃと電気的に接続されているとともに、負極側が一対の第３の電極パッド３の負極側の接点３ｃと電気的に接続されている。すなわち、トレーニング装置１０は、コントローラ５が一方の対の端子に電流を流したときに第１の電極パッド１と第２の電極パッド２とを通して電流が流れ、コントローラ５が他方の対の端子に電流を流した時に第３の電極パッド３と第４の電極パッド４とを通して電流が流れるように作動する。コントローラ５は、各電極パッド１，２，３，４に電流を流すタイミングを制御することにより、使用者が不快感を覚え難い適切なタイミングで腹直筋及び腹斜筋を電気的に刺激することができる。
【００１４】
第１の電極パッド１、第２の電極パッド２、第３の電極パッド３、及び第４の電極パッド４は、図２に示すように、トレーニング装置１０の底面側に使用者の皮膚と接触するための接触面である電極１ａ，２ａ，３ａ，４ａがそれぞれ設けられている。なお、各電極１ａ，２ａ，３ａ，４ａには、その位置を把握し易いように無数の小さな円で構成された模様が描かれている。
【００１５】
電極１ａ，２ａ，３ａ，４ａは、粘着シートが貼付されており、この粘着シートを用いてトレーニング装置１０は使用者の体に貼り付け可能に設けられている。これら電極１ａ，２ａ，３ａ，４ａの各々は、プリント配線１ｂ，２ｂ，３ｂ，４ｂを介してコントローラ５と電気的に接続されており、コントローラ５の制御に基づいて筋肉に電流を流すようになっている。第１の電極パッド１、第２の電極パッド２、第３の電極パッド３、及び第４の電極パッド４は、これら電極１ａ，２ａ，３ａ，４ａを介して筋肉に電流を流すことにより筋肉を電気的に刺激可能に設けられている。
【００１６】
シート６は、シート状のシリコン樹脂とシート状のＰＥＴ（ポリエチレンテレフタレート）樹脂のフィルム電極とが積層されて形成されている。シート６の全体の寸法は、例えば、縦１７３ｍｍ（ミリメートル）、横３５８ｍｍ（ミリメートル）の寸法に丁度収まる大きさであり、その厚さは１．３５ｍｍ（ミリメートル）である。
【００１７】
シート６は、本体６ａに第１の電極パッド１及び第２の電極パッド２が配置されており、本体６ａの第２の電極パッド２の近傍から延びるアーム６ｂに第３の電極パッド３及び第４の電極パッド４が配置されている。アーム６ｂは、第１の電極パッド１と第３の電極パッド３及び第４の電極パッド４との間に凹部６ｃが形成されている。また、アーム６ｂは、凹部６ｃ近傍が第３の電極パッド３及び第４の電極パッド４の近傍よりも細くくびれて形成されている。これらにより、使用者の腹部の形状に合わせてアーム６ｂが容易に湾曲することができるとともに、第３の電極パッド３及び第４の電極パッド４に電流が流れて腹斜筋が収縮した場合であってもアーム６ｂにしわが形成され難く、シート６の使用者の腹部への密着を保持し易くすることができる。
【００１８】
図３は、電極の形状及び配置の様子を模式的に示した図であり、図４は、各電極パッドと使用者の腹直筋及び腹斜筋との位置関係を模式的に示した図である。
一対の第２の電極パッド２は、図３に示すように、トレーニング装置１０が使用者に貼り付けられたときに上側に位置する上方の一対の第１の電極パッド１と対向するように下方に配置されている。これら第１の電極パッド１及び第２の電極パッド２が占める略矩形の領域Ｄの両外側に、この領域Ｄを対照的に挟むように左右一対の第３の電極パッド３及び一対の第４の電極パッド４が配置されている。より具体的には、一対の第３の電極パッド３及び一対の第４の電極パッド４は、一対の第１の電極パッド１を挟む位置に配置されている。
【００１９】
各第１の電極パッド１は、使用者と接触する電極１ａの面積が第２の電極パッド２、第３の電極パッド３、及び第４の電極パッド４の各電極２ａ，３ａ，４ａよりも大きく、上下方向、すなわち第２の電極パッド２に向かう方向に延びる長軸を有する楕円形状に形成されている。具第的には、円形状に形成された第２の電極パッド２、第３の電極パッド３、及び第４の電極パッド４の電極２ａ，３ａ，４ａの直径は４８ｍｍ（ミリメートル）から５０ｍｍ（ミリメートル）の大きさである一方、楕円形状に形成された第１の電極パッド１の電極１ａは、第２の電極パッド２に延びる方向が６８ｍｍ（ミリメートル）から７０ｍｍ（ミリメートル）の大きさであり、一対の第１の電極パッド１が隣り合う方向が４８ｍｍ（ミリメートル）から５０ｍｍ（ミリメートル）の大きさである。第１の電極パッド１が楕円形状に形成されていることにより、上下方向に隣り合った腹直筋の両方に電流が流れるため、使用者が第１の電極パッド１ａから受ける電気的な刺激の体感を和らげることができる。すなわち、コントローラ５から流れる電流が同じであっても、第２の電極パッド２、第３の電極パッド３、及び第４の電極パッド４から使用者が受ける電気的な刺激の体感を、第１の電極パッド１から受ける電気的な刺激よりも強くするようになっている。これにより、腹直筋や腹斜筋の各部位に応じた適切な電気的な刺激を使用者に与えることができる。
【００２０】
第３の電極パッド３の各々は、第３の電極パッド３と異なる極性に対応する第４の電極パッド４が隣り合って配置されていることにより、第３の電極パッド３と第４の電極パッド４とで使用者に電気的な刺激を与えられるようになっている。これら第３の電極パッド３及び第４の電極パッド４は、電極３ａ，４ａの中心を通る仮想線Ａが第２の電極パッド２に向かう方向に延びるように配列されている。第３の電極パッド３及び第４の電極パッド４が配列された方向に延びる仮想線Ａと、一対の第２の電極パッド２か配列された水平方向に延びる仮想線Ｂとが交わる角度Ｃは、３０度から４０度の角度となっており、本実施形態では３５度となっている。角度Ｃを３０度から４０度の範囲にすることにより、効果的に腹斜筋を電気的に刺激することができる位置に第３の電極パッド３及び第４の電極パッド４が配置されるようになっている。
【００２１】
各電極パッド１，２，３，４が上述のように配置されたことにより、図４に示すように、第１の電極パッド１及び第２の電極パッド２が腹直筋に電気的な刺激を与え、第３の電極パッド３及び第４の電極パッド４が腹斜筋に電気的な刺激を与える。
【００２２】
図５は、トレーニング装置を使用者に張り付けた様子を示す図である。
トレーニング装置１０を使用する際には、先ず、図５に示すように、トレーニング装置１０を使用者の腹部に張り付ける。このとき、第１の電極パッド１及び第２の電極パッド２が使用者の腹直筋に位置するようにトレーニング装置１０を位置決めする。トレーニング装置１０は、第１の電極パッド１及び第２の電極パッド２が使用者の腹直筋に位置するように位置決めされると、細かい位置決めを要することなく第３の電極パッド３及び第４の電極パッド４が使用者の腹斜筋に位置するようになっている。
【００２３】
図６は、固定具を用いてトレーニング装置を使用者に固定する手順を示す図である。
トレーニング装置１０は、使用者の腹部に貼り付けられると、固定具２０を用いてよりしっかりと固定させるべく、図６（ａ）に示すように、使用者は固定具２０を背中側からウエストに当てる。固定具２０は、第１のベルト２１と、第１のベルト２１よりも幅広な第２のベルト２２とを備えている。これら第１のベルト２１と第２のベルト２２とは、矩形の生地で形成された図示せぬ連結部を介して連結されている。この連結部は、固定具２０を使用者のウエストに巻きつけたときに、使用者の背中側に位置する。
【００２４】
固定具２０をウエストに当てると、図６（ｂ）に示すように、使用者は第１のベルト２１を締め付ける。第１のベルト２１及び第２のベルト２２は、それぞれ端部に設けられた面ファスナ２１ａ，２２ａで第１のベルト２１及び第２のベルト２２の任意の位置に貼り付けることにより第１のベルト２１及び第２のベルト２２を締め付けるようになっている。
【００２５】
第１のベルト２１を締め付けると、図６（ｃ）に示すように、使用者は第２のベルト２２を締め付ける。
以上の手順により、トレーニング装置１０は固定具２０によりしっかりと使用者のウエストに固定される。
【００２６】
本実施形態に係るトレーニング装置１０は、一対の第１の電極パッド１と、一対の第１の電極パッド１と対向する一対の第２の電極パッド２と、第１の電極パッド１及び第２の電極パッド２で囲んだ領域Ｄの外側に、領域Ｄを対照的に挟むように配置された一対の第３の電極パッド３とを備えている。これにより、第１の電極パッド１及び第２の電極パッド２が腹直筋に位置するようにトレーニング装置１０を使用者のウエストに張り付けただけで、第３の電極パッド３が腹斜筋上に位置するとともに、使用者が１つのコントローラ５を操作しただけで腹直筋及び腹斜筋に電気的な刺激を適切なタイミングで与えることができる。このため、使用者は腹斜筋に電極パッドを容易に位置決めできるとともに、快適かつ効率よく使用することができる。
【００２７】
以上、一実施形態に基づいて本考案を説明したが、本考案は、これに限定されるものではない。上記実施形態では、第３の電極パッド３及び第４の電極パッド４間に電流を流して腹斜筋に電気的な刺激を与えているが、これに限定されない。腹斜筋に電気的な刺激を与えることができれば、例えば、一対の第３の電極パッド３の各々を異なる極性の電極とし、一対の第３の電極間に電流を流して腹斜筋に電気的な刺激を与えるようにしてもよい。
【符号の説明】
【００２８】
１      第１の電極パッド
１ａ    電極
１ｃ    接点
２ｂ    プリント配線
２      第２の電極パッド
２ａ    電極
２ｂ    プリント配線
２ｃ    接点
３      第３の電極パッド
３ａ    電極
３ｂ    プリント配線
３ｃ    接点
４      第４の電極パッド
４ａ    電極
４ｂ    プリント配線
４ｃ    接点
５      コントローラ
６      シート
６ａ    本体
６ｂ    アーム
６ｃ    凹部
１０      トレーニング装置
２０      固定具
２１      第１のベルト
２２      第２のベルト
【図１】
0003209197.tif 000003
【図２】
0003209197.tif 000004
【図３】
0003209197.tif 000005
【図４】
0003209197.tif 000006
【図５】
0003209197.tif 000007
【図６】
0003209197.tif 000008
【手続補正書】
【提出日】平成28年12月14日(2016.12.14)
【手続補正１】
【補正対象書類名】図面
【補正対象項目名】全図
【補正方法】変更
【補正の内容】
【図１】
0003209197.tif 000009
【図２】
0003209197.tif 000010
【図３】
0003209197.tif 000011
【図４】
0003209197.tif 000012
【図５】
0003209197.tif 000013
【図６】
0003209197.tif 000014